(57)【要約】【課題】節水に有効なトイレおよび便座装置並びにその洗浄方法を提供する。【解決手段】トイレは、頂部に設けられた開口１１２と、底部に設けられた排出口１１４とを有する容器１１０と、容器１１０に枢着され、選択的に開口１１２を覆い、該開口を露出させることが可能なカバー１２０と、開口１１２がカバー１２０で覆われる時に、容器１１０中に気体を送り、容器１１０内の気圧を容器１１０外の気圧よりも高くし、容器１１０中の被洗浄物１５０を排出口１１４から容器１１０外へ排出させる空気加圧装置１３０と、を備える。【選択図】図２
2008163737.tif 000002
【特許請求の範囲】
【請求項１】
頂部に設けられた開口と、底部に設けられた排出口とを有する容器と、
前記容器に枢着され、選択的に前記開口を覆い、また前記開口を露出させることが可能なカバーと、
前記開口が前記カバーで覆われる時に、前記容器中に気体を送り、前記容器内の気圧を前記容器外の気圧よりも高くし、前記容器中にある被洗浄物を前記排出口から前記容器外へ排出させる空気加圧装置と、を備えることを特徴とするトイレ。
【請求項２】
前記開口が前記カバーにより覆われているか否かを感知する第１のセンサと、
前記空気加圧装置のオン／オフ動作を切り換えるスイッチ部材と、を有するとともに、前記空気加圧装置と電気的に接続された感応スイッチをさらに備え、
前記開口が前記カバーにより覆われていることを前記第１のセンサが感知した場合に、前記スイッチ部材が前記空気加圧装置をオン動作させる、ことを特徴とする請求項１に記載のトイレ。
【請求項３】
液体を収容する液体槽と、
前記液体槽に接続され、前記液体槽へ前記液体を注入する少なくとも１つの供給口と、
前記液体槽および前記容器と接続され、前記容器中へ前記液体を送る少なくとも１つの出水口と、
前記出水口から出る前記液体の流動を制御する水バルブと、を有するとともに、前記カバーが接続された洗浄装置をさらに備える、ことを特徴とする請求項１に記載のトイレ。
【請求項４】
前記洗浄装置は、前記水バルブと電気的に接続された第２のセンサを有し、
前記第２のセンサがオンすると、前記水バルブが開かれ、前記出水口から前記液体が流出することを特徴とする請求項３に記載のトイレ。
【請求項５】
選択的にトイレ容器の開口を覆い、また該開口を露出させることが可能なカバーと、
前記カバーに接続され、前記開口が前記カバーにより覆われている時に、前記トイレ容器内に気体を送る空気加圧装置と、を備えることを特徴とする便座装置。
【請求項６】
前記カバーが枢着され、前記開口と前記カバーとの間に配置され、選択的に前記トイレ容器上に配置されて、前記開口の縁部を覆い、また前記開口を露出させることが可能な便座をさらに備え、
前記便座に設けられたホールにより、前記トイレ容器上に前記便座が配置された時に前記開口が露出されることを特徴とする請求項５に記載の便座装置。
【請求項７】
前記開口が前記カバーにより覆われているか否かを感知する第１のセンサと、
前記第１のセンサと電気的に接続され、前記空気加圧装置のオン／オフ動作を切り換えるスイッチ部材と、を有するとともに、前記空気加圧装置と電気的に接続された感応スイッチをさらに備え、
前記開口が前記カバーにより覆われていることを前記第１のセンサが感知した場合に、前記スイッチ部材が前記空気加圧装置をオン動作させることを特徴とする請求項５に記載の便座装置。
【請求項８】
液体を収容する液体槽と、
前記液体槽に接続され、前記液体槽へ前記液体を供給する少なくとも１つの供給口と、
前記液体槽に接続され、前記トイレ容器中へ前記液体槽内の前記液体を送る少なくとも１つの出水口と、
前記出水口から出る前記液体の流動を制御する水バルブと、
前記水バルブと電気的に接続された第２のセンサと、を有するとともに、前記カバーに接続された洗浄装置をさらに備え、
前記第２のセンサがオンすると、前記水バルブが開かれ、前記出水口から前記液体を流出させることを特徴とする請求項５に記載の便座装置。
【請求項９】
トイレ容器の開口を密封するステップと、
前記開口を密封した後に、前記トイレ容器内の気圧を高め、前記トイレ容器内の気圧を前記トイレ容器外の気圧よりも高くし、前記トイレ容器内にある被洗浄物を前記トイレ容器の排出口から前記トイレ容器外へ排出させるステップと、を含むことを特徴とするトイレの洗浄方法。
【請求項１０】
前記トイレ容器内の気圧を高める際に、前記トイレ容器内に気体を入れることを特徴とする請求項９に記載のトイレの洗浄方法。
【発明の詳細な説明】
【技術分野】
【０００１】
本発明は衛生設備に関し、特にトイレに関する。
【背景技術】
【０００２】
トイレは、現代人の生活にとって必要不可欠な物の１つである。現在市販されている各種トイレのうち、水洗トイレは代表的なものである。水洗トイレの動作原理は、大量の水で被洗浄物を洗い流すと同時にトイレの表面を洗うことである。しかし、水資源は貴重であるため、水洗トイレを使用する度に大量の水を消費することは水資源の浪費であった。この問題を解決するために、節水機能を備えたトイレが市販されている。しかし、この節水トイレは依然として水洗トイレの動作原理を利用していたため、被洗浄物を洗い流すためには、依然として大量の水が必要であり、節水量には限界があった。
【０００３】
そのため、節水が可能なトイレおよび便座装置並びにその洗浄方法が求められていた。
【発明の開示】
【発明が解決しようとする課題】
【０００４】
本発明の目的は、節水に有効なトイレおよび便座装置並びにその洗浄方法を提供することにある。
【課題を解決するための手段】
【０００５】
（１）  頂部に設けられた開口と、底部に設けられた排出口とを有する容器と、前記容器に枢着され、選択的に前記開口を覆い、また前記開口を露出させることが可能なカバーと、前記開口が前記カバーで覆われる時に、前記容器中に気体を送り、前記容器内の気圧を前記容器外の気圧よりも高くし、前記容器中にある被洗浄物を前記排出口から前記容器外へ排出させる空気加圧装置と、を備えることを特徴とするトイレを提供する。
【０００６】
（２）  前記開口が前記カバーにより覆われているか否かを感知する第１のセンサと、前記空気加圧装置のオン／オフ動作を切り換えるスイッチ部材と、を有するとともに、前記空気加圧装置と電気的に接続された感応スイッチをさらに備え、前記開口が前記カバーにより覆われていることを前記第１のセンサが感知した場合に、前記スイッチ部材が前記空気加圧装置をオン動作させる、ことを特徴とする（１）に記載のトイレを提供する。
【０００７】
（３）  液体を収容する液体槽と、前記液体槽に接続され、前記液体槽へ前記液体を注入する少なくとも１つの供給口と、前記液体槽および前記容器と接続され、前記容器中へ前記液体を送る少なくとも１つの出水口と、前記出水口から出る前記液体の流動を制御する水バルブと、を有するとともに、前記カバーが接続された洗浄装置をさらに備える、を特徴とする（１）に記載のトイレを提供する。
【０００８】
（４）  前記洗浄装置は、前記水バルブと電気的に接続された第２のセンサを有し、前記第２のセンサがオンすると、前記水バルブが開かれ、前記出水口から前記液体が流出することを特徴とする（３）に記載のトイレを提供する。
【０００９】
（５）  選択的にトイレ容器の開口を覆い、また該開口を露出させることが可能なカバーと、前記カバーに接続され、前記開口が前記カバーにより覆われている時に、前記トイレ容器内に気体を送る空気加圧装置と、を備えることを特徴とする便座装置を提供する。
【００１０】
（６）  前記カバーが枢着され、前記開口と前記カバーとの間に配置され、選択的に前記トイレ容器上に配置されて、前記開口の縁部を覆い、また前記開口を露出させることが可能な便座をさらに備え、前記便座に設けられたホールにより、前記トイレ容器上に前記便座が配置された時に前記開口が露出されることを特徴とする（５）に記載の便座装置を提供する。
【００１１】
（７）  前記開口が前記カバーにより覆われているか否かを感知する第１のセンサと、前記第１のセンサと電気的に接続され、前記空気加圧装置のオン／オフ動作を切り換えるスイッチ部材と、を有するとともに、前記空気加圧装置と電気的に接続された感応スイッチをさらに備え、前記開口が前記カバーにより覆われていることを前記第１のセンサが感知した場合に、前記スイッチ部材が前記空気加圧装置をオン動作させることを特徴とする（５）に記載の便座装置を提供する。
【００１２】
（８）  液体を収容する液体槽と、前記液体槽に接続され、前記液体槽へ前記液体を供給する少なくとも１つの供給口と、前記液体槽に接続され、前記トイレ容器中へ前記液体槽内の前記液体を送る少なくとも１つの出水口と、前記出水口から出る前記液体の流動を制御する水バルブと、前記水バルブと電気的に接続された第２のセンサと、を有するとともに、前記カバーに接続された洗浄装置をさらに備え、前記第２のセンサがオンすると、前記水バルブが開かれ、前記出水口から前記液体を流出させることを特徴とする（５）に記載の便座装置を提供する。
【００１３】
（９）  トイレ容器の開口を密封するステップと、前記開口を密封した後に、前記トイレ容器内の気圧を高め、前記トイレ容器内の気圧を前記トイレ容器外の気圧よりも高くし、前記トイレ容器内にある被洗浄物を前記トイレ容器の排出口から前記トイレ容器外へ排出させるステップと、を含むことを特徴とするトイレの洗浄方法を提供する。
【００１４】
（１０）  前記トイレ容器内の気圧を高める際に、前記トイレ容器内に気体を入れることを特徴とする（９）に記載のトイレの洗浄方法を提供する。
【発明の効果】
【００１５】
本発明のトイレおよび便座装置並びにその洗浄方法は、大量の水で流す従来の技術と異なり、トイレ容器の内部と外部との圧力差により被洗浄物を気体でトイレ容器外へ排出させるため、効果的に節水できる。
【発明を実施するための最良の形態】
【００１６】
以下、本発明の実施形態を図面に基づいて説明する。尚、これによって本発明が限定されるものではない。
【００１７】
図１Ａおよび図１Ｂを参照する。図１Ａは、本発明の一実施形態によるトイレ１００のカバーを開いた時の状態を示す斜視図である。図１Ｂは、本発明の一実施形態によるトイレのカバーを閉じた時の状態を示す斜視図である。トイレ１００は、容器１１０、カバー１２０および空気加圧装置１３０を含む。容器１１０には、その頂部に開口１１２が設けられ、底部に排出口１１４が設けられている。カバー１２０は、容器１１０に枢着され、選択的に開口１１２を覆ったり露出させたりすることが可能である。つまり、カバー１２０を開いて開口１１２を露出させ、また、カバー１２０を閉じて開口１１２を覆うことができる。カバー１２０により開口１１２が覆われている時に、空気加圧装置１３０により容器１１０中に気体を送り、容器１１０内の気圧を容器１１０外の気圧よりも高くすることにより、排出口１１４を介して容器１１０中の被洗浄物１５０を容器１１０外へ排出させる。
【００１８】
本実施形態において、カバー１２０の一端は、支軸１２２を介して容器１１０に接続されている。カバー１２０は、プラスチックからなってもよい。ユーザが空気加圧装置１３０を下向きに押圧すると、同時にカバー１２０が容器１１０上に強く圧しつけられて開口１１２が密封される。
【００１９】
また、カバーの密封効果を強化して開口１１２から気体が漏れないようにするために、トイレ１００には、カバー１２０を容器１１０上に緊密にロックさせることが可能な密封ロック部１４０がさらに含まれている。密封ロック部１４０は、係止、掛止、嵌止などのロック機能を有する装置でもよい。密封ロック部１４０は、第１のロック部１４２および第２のロック部１４４の二つの要素を含み、第１のロック部１４２は、カバー１２０の一端に接続され、第２のロック部１４４は、容器１１０に接続されている。開口１１２がカバー１２０により覆われると、第１のロック部１４２と、第２のロック部１４４とが互いに噛み合わされる。本実施形態において、密封ロック部１４０は係着部であり、開口１１２がカバー１２０により覆われると、第１のロック部１４２と第２のロック部１４４とが噛み合わされる。他の実施形態の第１のロック部１４２および第２のロック部１４４のそれぞれは歯車であり、支軸１２２と接続され、選択的に互いにロックさせたり解除させたりすることができる。さらに詳細には、カバー１２０が閉じられると歯車が互いにロックされ、歯車を解除するだけでカバー１２０を開くことができる。
【００２０】
空気加圧装置１３０は、手動式または電動式のエアーポンプなど、空気を入れる機能を有する如何なる装置でもよい。図１Ｂに示すように、本実施形態の空気加圧装置１３０は手動式エアーポンプであり、ユーザはこの手動式エアーポンプを直接利用して気体を容器１１０中に送ることができる。図２に示す空気加圧装置１３０は、電力駆動により容器１１０中に気体を入れることが可能な電動式エアーポンプである。電動式エアーポンプの駆動方式は広く知られているため、ここでは詳しく述べない。
【００２１】
図２に示すように、空気加圧装置１３０は、電動式エアーポンプであり、感応スイッチ１６０と電気的に接続されている。感応スイッチ１６０は、第１のセンサ１６２およびスイッチ（切換）部材１６４を含む。第１のセンサ１６２は、開口１１２がカバー１２０により覆われているか否かを感知する。スイッチ部材１６４は、空気加圧装置１３０のオン／オフを切り換える。開口１１２がカバー１２０により覆われていることを第１のセンサ１６２が感知すると、スイッチ部材１６４により空気加圧装置１３０がオン動作する。さらに詳細には、第１のセンサ１６２は光センサでもよく、開口１１２がカバー１２０により覆われると光センサも同時に覆われてオンする。第１のセンサ１６２がオンすると、スイッチ部材１６４へ信号が送信される。スイッチ部材１６４は、この信号を基に空気加圧装置１３０をオンする。また、第１のセンサ１６２は、赤外線センサ、接触センサまたは重量センサでもよい。図２に示すように、本実施形態の第１のセンサ１６２は容器１１０上に配置されているが、当然その他の位置に配置することもできる。
【００２２】
被洗浄物１５０が容器１１０の表面１１６上に付着しないように防ぐために、容器１１０の表面１１６上には、付着しにくい材料を塗布して表面１１６を滑りやすくしてもよい。例えば、容器１１０の表面１１６の材料として、テフロン（登録商標）、陶磁器釉薬またはナノスケール釉薬を用いることにより、表面１１６への被洗浄物１５０の付着を妨げるようにしてもよい。なお、この材料については、容器１１０の表面１１６を平滑にし、該表面に被洗浄物が付着しにくくすることが可能な、如何なる材料でもよい。
【００２３】
また、トイレ１００は、付着を防止して洗浄効果を高めるために、カバー１２０が接続された洗浄装置１７０を含んでもよい。洗浄装置１７０は、液体槽１７２、供給口１７３、出水口１７４および水バルブ１７６を主に含む。液体槽１７２は、水や洗浄剤などの液体を収容する。液体槽１７２の形状は、鉢状や缶状などでもよい。ユーザは、液体槽１７２に接続された供給口１７３から液体を液体槽１７２中に供給し、または供給口１７３に水道管を接続し、水道管で液体槽１７２中へ液体を直接注入してもよい。出水口１７４は、液体槽１７２および容器１１０に接続され、液体槽１７２中の液体を出水口１７４から容器１１０中へ流し、表面１１６上に一層の水膜を形成し、その表面１１６に被洗浄物１５０が付着しないように防ぐことができる。水バルブ１７６は、出水口１７４中の液体の流動の有無を制御する。一般に、水バルブ１７６は、選択的に出水口１７４の開閉を行うことが可能な可動型止水片である。
【００２４】
洗浄装置１７０は、水バルブ１７６と電気的に接続された第２のセンサ１７８をさらに含む。第２のセンサ１７８がオンすると、水バルブ１７６が開かれ、出水口１７４から液体が流出する。第２のセンサ１７８は、赤外線センサ、接触センサまたは重量センサでもよい。例えば、赤外線センサは、ユーザがトイレ１００を使用する時に、ユーザの空間的な位置変化を感知してオンする。重量センサは、ユーザがトイレ１００から立ち上がった時に変化する重量を感知してオンする。接触センサはユーザの接触を感知して、接触時にオンする。
【００２５】
上述の実施形態から分かるように、トイレ１００は、気圧差の原理を利用して気体を流動させる。このように、水により被洗浄物１５０を流していた従来の方式を、気流により被洗浄物１５０を排出させる方式に変えることにより、節水の目的を達成することができる。
【００２６】
トイレは、現代人の生活にとって必要不可欠な衛生設備の１つであり、家庭や公共施設など様々な場所に設置されている。トイレのうちでも一番利用されているのは水洗トイレである。本発明は、従来のトイレ容器上に便座装置を装着し、気圧差の原理を利用してトイレを洗浄することができる。
【００２７】
図３Ａおよび図３Ｂを参照する。図３Ａは、本発明の他の実施形態によるトイレのカバーを閉じた状態を示す斜視図である。図３Ｂは、本発明の他の実施形態によるトイレのカバーを開いた状態を示す斜視図である。便座装置３００は、トイレ２００上に配置されている。トイレ２００は、一般の水洗トイレである。本実施形態のトイレ２００は、図３Ａおよび図３Ｂに示すような水洗洋式トイレや水洗和式トイレでもよい。
【００２８】
便座装置３００は、カバー１２０および空気加圧装置１３０を主に含む。カバー１２０は、選択的にトイレ２００の開口１１２を覆い、また該開口を露出させることが可能である。つまり、カバー１２０を開くと開口１１２が露出され、カバー１２０を閉じると開口１１２が覆われる。空気加圧装置１３０にはカバー１２０が接続され、開口１１２がカバー１２０により覆われると、空気加圧装置１３０によりトイレ２００中に気体が送られる。これにより、トイレ２００内の気圧がトイレ２００外の気圧よりも高くなり、トイレ２００の排出口１１４から被洗浄物１５０が排出される。
【００２９】
便座装置３００は、カバー１２０とトイレ２００の開口１１２との間に配置され、かつカバー１２０が枢着された便座３１０をさらに含んでもよい。ユーザは、トイレを使用する際に便座３１０を利用すると、トイレ２００上に簡便に座ることができる。使用する際は、トイレ２００上に便座３１０を設置し、開口１１２の縁部を覆う。便座３１０を上げると、開口１１２の縁部が露出される。便座３１０上にはホール３１２が設けられ、トイレ２００上に便座３１０が設置されると、開口１１２の一部が露出される。
【００３０】
空気加圧装置１３０は、手動式または電動式のエアーポンプなど、空気を入れる機能を有する如何なる装置でもよい。さらに詳細には、空気加圧装置１３０が手動式エアーポンプである場合、この手動式エアーポンプを押圧することによりトイレ２００外からトイレ２００内へ気体を送る。また、空気加圧装置１３０が電動式エアーポンプの場合、電気で電動式エアーポンプを駆動させてトイレ２００中へ気体を送る。本実施形態の空気加圧装置１３０は、電動式エアーポンプである。
【００３１】
図３Ｃを参照する。図３Ｃは、図３Ａの線Ａ−Ａ’に沿った断面図である。空気加圧装置１３０は、感応スイッチ１６０と電気的に接続された電動式エアーポンプである。感応スイッチ１６０は、第１のセンサ１６２およびスイッチ部材１６４を含む。第１のセンサ１６２は、開口１１２がカバー１２０により覆われているか否かを感知する。スイッチ部材１６４は、第１のセンサ１６２と電気的に接続され、空気加圧装置１３０のオン／オフを切り換える。開口１１２がカバー１２０により覆われていることを第１のセンサ１６２が感知すると、スイッチ部材１６４へ信号を送信する。この信号を基に、スイッチ部材１６４は空気加圧装置１３０をオンする。第１のセンサ１６２は、光センサ、赤外線センサ、接触センサまたは重量センサでもよい。これらセンサの具体的な実施方法はすでに説明しているため、ここでは繰り返し述べない。
【００３２】
密封効果を強化して空気が漏れないようにするために、便座装置３００には、開口１１２をカバー１２０で緊密に覆うことが可能な密封ロック部１４０がさらに含まれている。この密封ロック部１４０は、係止、掛止、嵌止などのロック機能を有する装置でもよい。本実施形態において、カバー１２０および便座３１０上のそれぞれには、１組の係止部が設けられている。開口１１２がカバー１２０により覆われると、係止部により係止され、カバー１２０で開口１１２を緊密に覆うことができる。他の実施形態では、カバー１２０と便座３１０とが枢着された箇所に１組の歯車が設けられ、カバー１２０が閉じられると、それらの歯車が互いに係止する。カバー１２０は、それら歯車を解除すると開くことができる。
【００３３】
トイレ２００は、一般の水洗トイレである。トイレ２００は、通常、水を収容する水タンク２１０を有する。水タンク２１０中の水は、出水口２１２を介してトイレ２００の容器１１０中へ流れる。空気加圧装置１３０が作動すると、トイレ２００内の気圧がトイレ２００外の気圧よりも高くなり、トイレ２００中の各パイプから気体が送り出される。そのため、便座装置３００は、トイレ２００から出水口２１２へ気体が送り出されることを防ぐためのガスバルブ３２０を含む。本実施形態において、ガスバルブ３２０は１個のピストンであり、トイレ２００の水タンク２１０の出水口２１２に差し込まれている。また、ガスバルブ３２０を出水口２１２に接続された１個の一方向弁にしてもよく、これにより気体および液体は、水タンク２１０からトイレ２００にだけ送られ、トイレ２００から水タンク２１０へは逆流しないようになっている。また、ガスバルブ３２０を１個の回動蓋にしてもよく、これによりこの回動蓋を回動させて出水口２１２に締結させることにより、出水口から気体が漏れないように防止できる。
【００３４】
図３Ｄを参照する。図３Ｄは、図３Ａの線Ｂ−Ｂ’に沿った断面図である。便座装置３００は、洗浄効果を強化するために、カバー１２０が接続された洗浄装置１７０をさらに含む。洗浄装置１７０は、液体槽１７２、出水口１７４、水バルブ１７６および第２のセンサ１７８を含む。液体槽１７２は、水や洗浄剤などの液体を収容する。ユーザは、液体槽１７２に接続された供給口１７３から液体を液体槽１７２中に供給し、または水道管を供給口１７３に接続し、水道管から液体槽１７２中へ液体を直接注入してもよい。出水口１７４は、液体槽１７２に接続され、液体槽１７２中の液体を出水口１７４からトイレ２００中へ送る。これにより、トイレ２００の表面１１６に一層の水膜が形成され、被洗浄物１５０が付着しないように防ぐことができる。水バルブ１７６は、出水口１７４中の液体の流動を制御する。一般に、水バルブ１７６は、出水口１７４の開閉が可能な可動型止水片である。第２のセンサ１７８は、水バルブ１７６と電気的に接続されている。第２のセンサ１７８がオンすると、水バルブ１７６が開かれ、出水口１７４の液体が流出する。
【００３５】
便座装置３００は、従来のトイレ２００に直接装着することができるため、トイレ２００を分解する必要がない上、気圧差を利用してトイレ２００を洗浄するため、従来の水洗方法よりも水の使用量を大幅に少なくすることができる。
【００３６】
図４Ａを参照する。図４Ａは、本発明の一実施形態によるトイレの洗浄方法４００を示す流れ図である。トイレの洗浄方法４００は、トイレの開口を密封するステップ４１０と、トイレ内の気圧を高めるステップ４２０と、トイレの表面に液体をスプレーするステップ４３０と、を含む。ここで、図４Ａに示すステップの順序は、説明の便宜上示した単なる一例であり、ステップ４３０については、もちろんステップ４１０の前や後に行うこともできる。
【００３７】
図４Ｂを参照する。図４Ｂのステップ４１０において、トイレの開口を密封し、トイレ内の気体が開口から漏れないようにする。開口を密封する方法には、開口をカバーで覆ったり、開口にピストンを差し込んだりするなどの様々な方法が含まれる。本実施形態のステップ４１０は、開口をカバーで閉じるステップ４１２と、カバーと開口周縁部とをロックするステップ４１４と、を含む。ステップ４１４において、カバーと開口周縁部とをロックする方法は、係止、掛止、嵌止などによりロック部材を利用した方法でもよい。
【００３８】
図４Ａを参照する。図４Ａに示すように、トイレの開口を密封した後、ステップ４２０において、トイレ内の気圧を高め、トイレ内の気圧をトイレ外の気圧よりも高くし、トイレ内の被洗浄物をトイレの排出口からトイレ外へ排出させる。本実施形態のトイレ内の気圧を高める方法は、トイレ内に気体を入れることである。さらに詳細には、手動式または電動式のエアーポンプなど、空気を入れる機能を有する装置を利用し、トイレ内に気体を入れる。
【００３９】
ステップ４３０では、トイレの表面に液体をスプレーし、トイレの表面に一層の水膜を形成することにより、被洗浄物が付着することを防ぐとともにトイレを洗浄する。なお、上述したように、本実施形態は単に一例を示しただけであり、ステップ４３０は、ステップ４２０の後に行うだけに限定されるわけではなく、ステップ４１０およびステップ４２０の前後や、ステップ４１０とステップ４２０との間に行ってもよい。
【００４０】
本発明では好適な実施形態を前述の通り開示したが、これらは決して本発明を限定するものではなく、当該技術を熟知するものなら誰でも、本発明の主旨と領域を脱しない範囲内で各種の変更や修正を加えることができる。従って本発明の保護の範囲は、特許請求の範囲で指定した内容を基準とする。
【図面の簡単な説明】
【００４１】
【図１Ａ】本発明の一実施形態によるトイレのカバーを開いた時の状態を示す斜視図である。
【図１Ｂ】本発明の一実施形態によるトイレのカバーを閉じた時の状態を示す斜視図である。
【図２】本発明の他の実施形態によるトイレを示す斜視図である。
【図３Ａ】本発明の他の実施形態によるトイレのカバーを閉じた状態を示す斜視図である。
【図３Ｂ】本発明の他の実施形態によるトイレのカバーを開いた状態を示す斜視図である。
【図３Ｃ】図３Ａの線Ａ−Ａ’に沿った断面図である。
【図３Ｄ】図３Ａの線Ｂ−Ｂ’に沿った断面図である。
【図４Ａ】本発明の他の実施形態によるトイレの洗浄方法を説明するための流れ図である。
【図４Ｂ】本発明の他の実施形態によるトイレの洗浄方法を説明するための流れ図である。
【符号の説明】
【００４２】
１００  トイレ
１１０  容器
１１２  開口
１１４  排出口
１１６  表面
１２０  カバー
１２２  支軸
１３０  空気加圧装置
１４０  密封ロック部
１４２  第１のロック部
１４４  第２のロック部
１５０  被洗浄物
１６０  感応スイッチ
１６２  第１のセンサ
１６４  スイッチ部材
１７０  洗浄装置
１７２  液体槽
１７３  供給口
１７４  出水口
１７６  水バルブ
１７８  第２のセンサ
２００  トイレ
２１０  水タンク
２１２  出水口
３００  便座装置
３１０  便座
３１２  ホール
３２０  ガスバルブ
４００  トイレの洗浄方法
【図１Ａ】
2008163737.tif 000003
【図１Ｂ】
2008163737.tif 000004
【図２】
2008163737.tif 000005
【図３Ａ】
2008163737.tif 000006
【図３Ｂ】
2008163737.tif 000007
【図３Ｃ】
2008163737.tif 000008
【図３Ｄ】
2008163737.tif 000009
【図４Ａ】
2008163737.tif 000010
【図４Ｂ】
2008163737.tif 000011